(57)【要約】【課題】装着が容易で、異なる体型（例えば胴体の太さや長さ）を有する動物にも調整でき、効果的に脊椎などの動きを制限したり歪みを矯正したりすることができる。【解決手段】背部などをほぼ覆って筒状にされるシート状のコルセット本体１と、前足を受け入れる前足受入れ部２とを備え、コルセット本体１には端部を着脱自在に連結する係合部材１３，２３が形成され、ほぼ前端部から後端部に至るように心材１２，２２が配置され、コルセット本体１が、前躯部分に配置されるコルセット本体前躯部１０と、後躯部分に配置されるコルセット本体後躯部分２０とに分割され、コルセット本体前躯部分１０及びコルセット本体後躯部分２０には両者を着脱自在に連結する係合部材２８ａ，２８ｂが形成され、後ろ足が受け入れられる後ろ足受入れ部３が設けられる。【選択図】図２４
2010273922.tif 000002
【特許請求の範囲】
【請求項１】
動物の腹部、背部、骨盤部をほぼ覆って筒状にされるシート状のコルセット本体と、動物の前足を受け入れる前足受入れ部とを備え、コルセット本体には、隣接させられる端部を着脱自在に連結する連結部が形成されるとともに、動物に装着した場合に動物の背骨に沿うようにほぼ前端部から後端部に至るように心材が配置されている動物用コルセットにおいて、
コルセット本体が、動物の前躯部分に配置されるコルセット本体前躯部分と、動物の後躯部分に配置されるコルセット本体後躯部分とに分割され、当該コルセット本体前躯部分及びコルセット本体後躯部分の隣接させられる部分には両者を着脱自在に連結する連結部が形成されていることを特徴とする動物用コルセット。
【請求項２】
動物の後ろ足を受け入れる後ろ足受入れ部を備えていることを特徴とする請求項１記載の動物用コルセット。
【請求項３】
コルセット本体前躯部分及びコルセット本体後躯部分の少なくとも一方が動物の背部に配置される背部覆い体と動物の腹部に配置される腹部覆い体とに分割され、当該背部覆い体及び腹部覆い体の隣接する部分には両者を着脱自在に連結する連結部が形成されていることを特徴とする請求項１記載の動物用コルセット。
【請求項４】
前足受入れ部及び後ろ足受入れ部の少なくとも一方がコルセット本体前躯部分及びコルセット本体後躯部分とは別部材から形成されるとともに、コルセット本体前躯部分又はコルセット本体後躯部分に着脱自在に連結される連結部が形成されていることを特徴とする請求項１又は２記載の動物用コルセット。
【請求項５】
後ろ足受入れ部が、動物の左右に配置される左右部分と、当該左右部分の中間位置を動物に装着した場合に動物の内股に対応する部分において架橋して連結する連結部とを備えることを特徴とする請求項２記載の動物用コルセット。
【請求項６】
コルセット本体後躯部分には動物の後ろ足を持ち上げるための吊り部が形成されていることを特徴とする請求項１記載の動物用コルセット。
【請求項７】
コルセット本体前躯部分には動物に力を付与する場合に手がかりとして使用する手がけ部が形成されていることを特徴とする請求項１記載の動物用コルセット。
【発明の詳細な説明】
【技術分野】
【０００１】
本発明は、犬や猫などの四足歩行の動物を対象とした、胸椎、腰椎、骨盤の動きを制限したり歪みを矯正したりするために使用される動物用コルセットに関する。
【背景技術】
【０００２】
動物の胸椎、腰椎、骨盤の動きを制限したり歪みを矯正したりするためにコルセットを着用させるということは考えられてはいない。したがって、動物の胸椎、腰椎、骨盤の動きを制限したり歪みを矯正したりするコルセットのような器具も存在しない。
【０００３】
これに対し、人間に対して胸椎、腰椎、骨盤の動きを制限したり、歪みを矯正したりするコルセットは種々提案されている。
【０００４】
このような人間用のコルセットの例としては、特許文献１に示すように、人間の腰部に巻き付けて装着する全体が横長の帯状に形成されたコルセット本体と、このコルセット本体の左右両側部に設けられた互いに係止させられる係止手段とからなり、コルセット本体を腰部に装着した状態で、係止手段を用いて腹部側にて連結して人体に装着するようにしている。コルセット本体の上縁部がウエスト部分まで位置し、コルセット本体の下縁部は腹部側が少なくとも足の付け根部分よりも上部に位置し、臀部側が臀部のトップラインよりも下方に位置するように設けられている。
【先行技術文献】
【特許文献】
【０００５】
【特許文献１】特開２００４−１８１０５７号
【発明の概要】
【発明が解決しようとする課題】
【０００６】
しかしながら、従来の人間用のコルセットは、人間の体型を元に考案されているので、動物用のコルセットとして適用した場合には、次のような問題がある。
【０００７】
（１）動物の立位状態では、腹部が床面に向いているので、腹部に係止手段がある上述した人間用コルセットを動物の飼育人が装着しようとした場合、飼育人が動物の腹部の下に回りこまなければならず面倒である。動物が装着することを嫌がって体を伏せてしまった場合は、腹部に回り込むことができずさらに面倒であり、装着不能となる場合も多い。
【０００８】
（２）動物の後ろ足の付け根は、人間に比べてより頭側方向に付いているので、上述した人間用コルセット本体ではその腹部側の下縁部と後ろ足の付け根が干渉したり接触したりしてぶつかりやすい。
【０００９】
（３）このような動物の後ろ足の付け根との干渉を防止するためには、上述した人間用のコルセット本体における腹部側の下縁部を大きくカットすることが考えられるが、腹部側の下縁部をカットしてしまうと骨盤を覆う面が少なくなり、骨盤部のサポートが不十分になり、コルセットにより胸椎、腰椎、骨盤の動きを制限したり歪みを矯正したりする効果が低下してしまう。
【００１０】
（４）雄動物の陰茎は、人間に比べてより頭側方向にあり、また陰茎よりも尾側方向には骨盤が位置することが多いので、上述した人間用のコルセット本体で骨盤を覆うと陰茎も同時に覆われるように配置されることになり、特に雄動物が放尿をすると尿がコルセット本体にかかってしまい不衛生である。
【００１１】
（５）人間用のコルセット本体の上縁部はウエスト部分までのものが多いが、これでは動物のウエスト部分は脊椎疾患が発生しやすい部位であることから、動物のウエスト部分を十分に覆う長さにしなければならないが、上述した人間用のコルセット本体では上縁部の長さが短く固定力が弱い。
【００１２】
（６）動物の性格的気質上、コルセットのような体の動きを制限するものは装着することを嫌がり、コルセットを脱ぐことを試みることが多く、上述した人間用のコルセットでは動物の動作により外れたり位置ずれが生じたりしやすい。
【００１３】
本発明は、かかる事情に鑑みてなされたもので、第１の目的は、動物への装着が容易で、動物の体型などにも適合し、効果的に胸椎、腰椎、骨盤の動きを制限したり歪みを矯正したりすることができる動物用コルセットを提供することにある
【００１４】
本発明の第２の目的は、１つの動物用コルセットで複数の大きさ（例えば胴体太さや長さ）を有する動物に対応することができる動物用コルセットを提供することにある。
【課題を解決するための手段】
【００１５】
上記課題を解決するために、本発明では、以下のような手段を採用した。
（１）動物の腹部、背部、骨盤部をほぼ覆って筒状にされるシート状のコルセット本体と、動物の前足を受け入れる前足受入れ部とを備え、コルセット本体には、隣接させられる端部を着脱自在に連結する連結部が形成されるとともに、動物に装着した場合に動物の背骨に沿うようにほぼ前端部から後端部に至るように心材が配置されている動物用コルセットにおいて、コルセット本体が、動物の前躯部分に配置されるコルセット本体前躯部分と、動物の後躯部分に配置されるコルセット本体後躯部分とに分割され、当該コルセット本体前躯部分及びコルセット本体後躯部分の隣接させられる部分には両者を着脱自在に連結する連結部が形成されている。
（２）動物の後ろ足を受け入れる後ろ足受入れ部を備えている。
（３）コルセット本体前躯部分及びコルセット本体後躯部分の少なくとも一方が動物の背部に配置される背部覆い体と動物の腹部に配置される腹部覆い体とに分割され、当該背部覆い体及び腹部覆い体の隣接する部分には両者を着脱自在に連結する連結部が形成されている。
（４）前足受入れ部及び後ろ足受入れ部の少なくとも一方がコルセット本体前躯部分及びコルセット本体後躯部分とは別部材から形成されるとともに、コルセット本体前躯部分又はコルセット本体後躯部分に着脱自在に連結される連結部が形成されている。
（５）後ろ足受入れ部が、動物の左右に配置される左右部分と、当該左右部分の中間位置を動物に装着した場合に動物の内股に対応する部分において架橋して連結する連結部とを備える。
（６）コルセット本体後躯部分には動物の後ろ足を持ち上げるための吊り部が形成されている。
（７）コルセット本体前躯部分には動物に力を付与する場合に手がかりとして使用する手がけ部が形成されている。
【発明の効果】
【００１６】
（１）動物の背骨に沿うようにほぼ前端部から後端部に至るように配置された心材により、背骨の動きを制限したり脊椎の歪みを矯正したりすることができる。さらに、前足受入れ部に動物の前足を受け入れさせることにより、動物がコルセット本体を排除しようと動作した場合でもコルセット本体がずれたり外れたりすることが防止できる。しかも、コルセット本体前躯部分とコルセット本体後躯部分とに分割されたコルセット本体を用いているので、コルセット本体を装着する動物の大きさが各種あってもコルセット本体前躯部分とコルセット本体後躯部分との重合代を調整して連結部により連結することにより、１つの動物用コルセットで複数の大きさを有する動物に対応することができる。
（２）後ろ足受入れ部に動物の後ろ足を挿受け入れさせることによりコルセット本体を確実に動物に装着することができる。前足受入れ部及び後ろ足受入れ部に動物の四肢を通せば、前足受入れ部及び後ろ足受入れ部が四肢の付け根に引っ掛かり胴体から前後左右にずれる心配がなく、動物がコルセット本体の装着を嫌がって脱ぐことを試みても、四肢が届かずに脱ぐことができず、コルセットの装着を長時間持続することができる。
（３）背部覆い体と腹部覆い体とを連結部で着脱自在に連結して装着することができ、連結部における重合代を変えることにより背部覆い体及び腹部覆い体により形成されるコルセット本体前躯部分又はコルセット本体後躯部分の巻き径を調整することができ、１つの動物用コルセットで異なる胴体太さを有する複数の動物に対応することができる。
（４）前足受入れ部や後ろ足受入れ部をコルセット本体と別部品により形成すれば、コルセット本体をおおよそ動物に装着した後に前足受入れ部及び後ろ足受入れ部を装着することができ、本動物用コルセットの装着を嫌がる動物に対しても容易に装着することができる。
（５）後ろ足受入れ部において、左右部分を架橋して連結する連結部を動物に装着した場合に動物の陰のうと肛門との間に対応する部分になるようにしたものでは、陰茎と陰のうとの間の敏感な局部を避けて連結部を配置することができ、動物への負担を軽くすることができる。さらに、敏感な場所を避けるようにしているので、後ろ足受入れ部を取り付ける際の調整が容易になる。行うことができる。
（６）コルセット本体後躯部分に形成した吊り部に動物の後ろ足を持ち上げるための吊り具を取り付け、当該吊り具を牽引することにより動物の胴体にしっかり固定されたコルセット本体を介して動物の後ろ足を持ち上げて主として前足のみで歩行させることができる。本コルセットを装着しなければならないような症状を発症した動物には往々にして後ろ足に障害が出ることが多いが、吊り具で牽引することにより動物の歩行を助けることができる。
（７）コルセット本体前躯部分に形成した手がかり部に指などを挿入して動物に荷重を付加させて、気ままな動作をしようとする動物の動きを抑制することができる。
【図面の簡単な説明】
【００１７】
【図１】本発明の実施の一形態に係る動物用コルセットを構成する一部品を表面（外面）から見た状態を示す図である。
【図２】図１に示す部品を裏面（内面）から見た状態を示す図である。
【図３】本発明の実施の一形態に係る動物用コルセットを構成する一部品を表面（外面）から見た状態を示す図である。
【図４】図３に示す部品を裏面（内面）から見た状態を示す図である。
【図５】本発明の実施の一形態に係る動物用コルセットを構成する一部品を表面（外面）から見た状態を示す図である。
【図６】図５に示す部品を裏面（内面）から見た状態を示す図である。
【図７】本発明の実施の一形態に係る動物用コルセットを構成する一部品を表面（外面）から見た状態を示す図である。
【図８】図７に示す部品を裏面（内面）から見た状態を示す図である。
【図９】本発明の実施の一形態に係る動物用コルセットを構成する一部品を表面（外面）から見た状態を示す図である。
【図１０】図９に示す部品を裏面（内面）から見た状態を示す図である。
【図１１】本発明の実施の一形態に係る動物用コルセットを構成する一部品を表面（外面）から見た状態を示す図である。
【図１２】図１１に示す部品を裏面（内面）から見た状態を示す図である。
【図１３】本発明の実施の一形態に係る動物用コルセットを構成する部品を動物に装着した状態を動物の側面から見た図である。
【図１４】図１３に示す状態を動物の背側から見た図である。
【図１５】本発明の実施の一形態に係る動物用コルセットを構成する部品を動物に装着した状態を動物の側面から見た図である。
【図１６】図１５に示す状態を動物の腹側から見た図である。
【図１７】本発明の実施の一形態に係る動物用コルセットを構成する部品を動物に装着した状態を動物の側面から見た図である。
【図１８】図１７に示す状態を動物の背側から見た図である。
【図１９】図１７に示す状態を動物の腹側から見た図である。
【図２０】本発明の実施の一形態に係る動物用コルセットを構成する部品を動物に装着した状態を動物の側面から見た図である。
【図２１】図２０に示す状態を動物の背側から見た図である。
【図２２】本発明の実施の一形態に係る動物用コルセットを構成する部品を動物に装着した状態を動物の側面から見た図である。
【図２３】図２２に示す状態を動物の腹側から見た図である。
【図２４】本発明の実施の一形態に係る動物用コルセットを構成する部品を動物に装着した状態を動物の側面から見た図である。
【図２５】図２４に示す状態を動物の背側から見た図である。
【図２６】図２４に示す状態を動物の腹側から見た図である。
【図２７】本発明の実施の他の形態に係る動物用コルセットを構成する部品を動物に装着した状態を動物の腹側から見た図である。
【発明を実施するための形態】
【００１８】
以下に、本発明の実施の形態の動物用コルセットについて、詳細に説明する。本動物用コルセットは主として犬に装着して使用されるものである。使用例としては、例えば椎間板ヘルニアを患った犬に使用する場合が考えられ、更に椎間板ヘルニアになりそうな犬に予防的に使用したり、椎間板ヘルニアの手術後に骨が安定するまでの約８週間に使用したりするものである。
【００１９】
図１〜図１２は、本実施の一形態に係る動物用コルセットを構成する部品を示す図であり、図１３〜図２６は、当該各部品を動物に装着する手順（装着状態）を示す図であり、図２７は本実施の他の形態にかかる部品の装着状態を示す図である。
【００２０】
本実施の一形態の動物用コルセットは、図２４に示すように、動物の腹部、背部、骨盤部をほぼ覆って筒状にされるシート状のコルセット本体１と、動物の前足を受け入れる前足受入れ部２と、動物の後ろ足を受け入れる後ろ足受入れ部３を備えて概略構成される。
【００２１】
コルセット本体１は、動物の前躯部分に配置されるコルセット本体前躯部分１０と、動物の後躯部分に配置されるコルセット本体後躯部分２０とに分割され、当該コルセット本体前躯部分１０及びコルセット本体後躯部分２０の隣接させられる部分には両者を着脱自在に連結する連結部（係合部材２８ａ，２８ｂ）が形成されている。
【００２２】
コルセット本体前躯部分１０は、動物の前躯の背部を覆う背部覆い体１０ａと、動物の前躯の腹部を覆う腹部覆い体１０ｂとに分割され、背部覆い体１０ａ及び腹部覆い体１０ｂの両端には隣接する部分を着脱自在に連結する連結部（係合部材１３）が形成されている。
【００２３】
コルセット本体後躯部分２０は、動物の後躯の背部を覆う背部覆い体２０ａと、動物の後躯の腹部を覆う腹部覆い体２０ｂとに分割され、背部覆い体２０ａ及び腹部覆い体２０ｂの両端には隣接する部分を着脱自在に連結する連結部（係合部材２３）が形成されている。
【００２４】
コルセット本体前躯部分１０及びコルセット本体後躯部分２０には、動物に装着した場合に動物の背骨に沿うようにほぼ前端部から後端部に至るように心材１２及び心材２２が配置されている。
【００２５】
前足受入れ部２及び後ろ足受入れ部３は、コルセット本体前躯部分１０及びコルセット本体後躯部分２０とは別部材から形成されており、コルセット本体前躯部分１０又はコルセット本体後躯部分２０に着脱自在に連結する連結部（係合部材１４ａ，１４ｂ又は係合部材２４など）が形成されている。
【００２６】
コルセット本体後躯部分２０には動物の後ろ足を持ち上げるための吊り部２５が形成されている。また、コルセット本体前躯部分１０には動物に力を付与する場合に手がかりとして使用する手がけ部１５が形成されている。
【００２７】
以下に、本発明の実施の一形態に係る動物用コルセットを構成する部品について説明する。
【００２８】
図１及び図２に、コルセット本体前躯部分１０の背部覆い体１０ａを示す。背部覆い体１０ａは、例えばネオプレーン（登録商標）などのような少なくとも一面に起毛部が形成されたシート状の材料から形成されている。本例では起毛部が表面になるようにしてある。背部覆い体１０ａの周縁部には、縁取りテープ（例えば、バイアステープ）を縫い付けて縫製されている。
【００２９】
背部覆い体１０ａの前端部には、動物の首部の付け根に沿う緩やかに湾曲する湾曲部１６ａと、動物の前足の付け根に沿う緩やかに湾曲する湾曲部１６ｂとが形成されている。背部覆い体１０ａの後端部には、背部中間部に位置してコルセット本体後躯部分２０が重合させられる、緩やかに湾曲する湾曲部１６ｃが形成されている。
【００３０】
背部覆い体１０ａの両側縁部の裏側には、鍵形の係合素子が多数形成されたマジックテープ（登録商標）などからなる係合部材１３が縫製により縫い付けられている。背部覆い体１０ａの湾曲部１６ａの両側表面には、同様に鍵形の係合素子が多数形成されたマジックテープ(登録商標)などからなる係合部材１４ａが縫製により縫い付けられている。
【００３１】
背部覆い体１０ａに形成された心材１２はプラスチックなどの合成樹脂材料や鉄などの金属材料からなる板材を被覆材で覆って当該被覆材の周縁を縫製により縫い付けることにより、背部覆い体１０ａに固定されている。本例では、被覆材としてはループ状の係合素子が多数形成されたマジックテープ(登録商標)を用い、ループ状の係合素子が表面に露出した状態で縫製しているが、ほぼ平滑な表面を持つ布地を被覆材として用いてもよい。
【００３２】
背部覆い体１０ａに形成された手がけ部１５は、一部で分断された長さが長短の２部材から形成されている。長部材の一端には着脱自在なファスナーの雄部材１５ａが取り付けられており、他端は心材１２を覆う被覆材を縫製する時に同時に縫製されて背部覆い体１０ａに固定されている。短部材の一端にはファスナーの雄部材１５ａと着脱自在に係合するファスナーの雌部材１５ｂが取り付けられており、他端は心材１２を覆う被覆材を縫製する時に同時に縫製されて背部覆い体１０ａに固定されている。
【００３３】
図３及び図４に、コルセット本体前躯部分１０の腹部覆い体１０ｂを示す。腹部覆い体１０ｂは、背部覆い体１０ａと同様に、例えばネオプレーン（登録商標）などのような少なくとも一面に起毛部が形成されたシート状の材料から形成されている。本例では、起毛部が表面となるようにしてある。背部覆い体１０ａの周縁部には、縁取りテープ（例えば、バイアステープ）を縫い付けて縫製されている。
【００３４】
腹部覆い体１０ｂの前端部には突出部１６ｄが形成され、突出部１６ｄの端部の表面には、鍵形の係合素子が多数形成されたマジックテープ(登録商標)からなる係合部材１４ｂが縫製により縫い付けられている。腹部覆い体１０ｂの後端部には切欠部１６ｅが形成されている。この切欠部１６ｅは、腹部覆い体１０ｂを動物の腹部に配置した場合に、湾曲させやすくして動物にフィットさせ易くしたり、動物が雄の場合には陰茎の根元がぶつからないように避けたりするために設けたものである。
【００３５】
腹部覆い体１０ｂに形成された心材１２は、背部覆い体１０ａと同様に、プラスチックなどの合成材料からなる板材を被覆材で覆って当該被覆材の周縁を縫製により縫い付けることにより、腹部覆い体１０ｂに固定されている。同様に、本例では被覆材としてループ状の係合素子が多数形成されたマジックテープ(登録商標)を用いている。
【００３６】
図５及び図６に、前足受入れ部２を示す。前足受入れ部２は、背部覆い体１０ａや腹部覆い体１０ｂと同様に、例えばネオプレーン（登録商標）などのような少なくとも一面に起毛部が形成されたシート状の材料から形成されている。本例では、起毛部が表面になるようにしてある。
【００３７】
前足受入れ部２は、Ｙ字形の形状をなしており、基端部２ｅの周縁部には、縁取りテープ（例えば、バイアステープ）を縫い付けて縫製されているが、二股に分岐された分岐部２ｆの周縁部には縁取りテープは縫製されていない。また、分岐部２ｆに柔らかくて伸縮性のあるストレッチ素材を用いてもよい。当該部分は動物の首周りに配置されるものであるので、柔軟性を確保するためである。
【００３８】
基端部２ｅの裏側の先端部分には鉤形の係合素子が多数形成されたマジックテープ（登録商標）などからなる係合部材２ａが縫製により縫い付けられており、この係合部材２ａよりも内側の基端部２ｅには、ループ状の係合素子が多数形成されたマジックテープ（登録商標）などからなる係合部材２ｂが縫製により縫い付けられている。この係合部材２ｂは腹部覆い体１０ｂの係合部材１４ｂと係合させるために設けたものである
【００３９】
分岐部２ｆの裏側の先端部分には鉤形の係合素子を多数形成されたマジックテープ（登録商標）などからなる係合部材２ｃが縫製により縫い付けられており、この係合部材２ｃよりも内側の分岐部２ｆの裏側には、ループ状の係合素子が多数形成されたマジックテープ（登録商標）などからなる係合部材２ｄが縫製により縫い付けられている。この係合部材２ｄも、係合部材２ｂと同様に、背部覆い体１０ａの係合部材１４ａと係合させるために設けたものである。
【００４０】
図７及び図８に、コルセット本体後躯部分２０の背部覆い体２０ａを示す。背部覆い体２０ａは、コルセット本体前躯部分１０と同様に、例えばネオプレーン（登録商標）などのような少なくとも一面に起毛部が形成されたシート状の材料から形成されている。本例では起毛部が表面になるようにしてある。
【００４１】
背部覆い体２０ａは、立体裁断されたパーツにより縫製されており、動物の背中にフィットするように、動物の背中の形状に対応して左右対象線が稜線となるように表側に凸状に湾曲させられた形状をしている。背部覆い体２０ａの周縁部には、縁取りテープ（例えば、バイアステープ）を縫い付けて縫製されている。
【００４２】
背部覆い体２０ａの前端部には緩やかに湾曲する湾曲部２６ａが形成されている。湾曲部２６ａの裏面には鉤形の係合素子が多数形成されたマジックテープ(登録商標)からなる係合部材２８ａが縫製により縫い付けられている。
【００４３】
背部覆い体２０ａの後端側には、後方に延びる延長部２６ｂが形成され、延長部の後端には、湾曲部２６ｃが形成されている。延長部２６ｂの後端の表面には、鉤形の係合素子が多数形成されたマジックテープ（登録商標）などからなる係合部材２４が縫製により取り付けられている。
【００４４】
腹部覆い体２０ａに形成された心材２２は、コルセット本体前躯部分１０と同様に、プラスチックなどの合成材料からなる板材を被覆材で覆って当該被覆材の周縁を縫製により縫い付けることにより、背部覆い体２０ａに固定されている。本例では、被覆材としてループ状の係合素子が多数形成されたマジックテープ(登録商標)を用い、当該係合素子を表に出した状態で縫製しているが、平滑な表面を有する布地を被覆材として用いてもよい。
【００４５】
コルセット本体後躯部分２０の背部覆い体２０ａに形成された吊り部２５は、一部で分断された長さが長短の２部材から形成されている。長部材の一端には着脱自在に係合するファスナーの雄部材２５ａが取り付けられ、他端は心材２２の縫製と同時に縫製されて背部覆い体２０ａに固定されている。短部材の一端にはファスナーの雄部材２５ａと着脱自在に係合するファスナーの雌部材２５ｂが取り付けられており、他端は心材２２の縫製と同時に縫製されて背部覆い体１０ａに固定されている。
【００４６】
図９及び図１０に、コルセット本体後躯部分２０の腹部覆い体２０ｂを示す。腹部覆い体２０ｂは、背部覆い体２０ａと同様に、例えばネオプレーン（登録商標）などのような少なくとも一面に起毛部が形成されたシート状の材料から形成されている。本例では、起毛部が表面になるようにしてある。
【００４７】
腹部覆い体２０ｂは基端部から左右にそれぞれ２つの突出片２６ａが突出して形成されている。腹部覆い体２０ｂの後端部２６ｄには縁取りテープの縫い付けは行われてはいないが、その他の周縁部には縁取りテープ（例えば、バイアステープ）を縫い付けて縫製されている。後端部２６ｄの部分に柔軟性を持たせてフィット性を高めるなどの理由からである。
【００４８】
腹部覆い体２０ｂの前端部は、極めて緩やかに湾曲する湾曲部２６ｂが形成され、湾曲部２６ｂの裏面には鉤形の係合素子が多数形成されたマジックテープ(登録商標)からなる係合部材２８ｂが縫製により縫い付けられている。
【００４９】
突出片２６ａの先端の裏側には、鉤形の係合素子を多数有するマジックテープ（登録商標）などからなる係合部材２３が縫製により取り付けられている。腹部覆い体２０ｂの後端部には切欠部２６ｃが形成されている。この切欠部２６ｃは、腹部覆い体１０ｂを動物の腹部に配置した場合に、変形しやすくして動物にフィットするように設けたものである。腹部覆い体２０ｂの後端部の表面には、後ろ足受入れ部３の左右部分３ａの一端が挿入されて案内されるループ状のガイド部２９が縫製により取り付けられている。
【００５０】
なお、前記した腹部覆い体１０ｂには、心材１２を形成しているが、本コルセット本体後躯部分２０の腹部覆い体２０ｂには、心材２２は設けていない。これは、腹部覆い体２０ｂは動物の腹部に配置されるものなので、心材２２による矯正効果は期待できず、腹部に心材２２のような堅いものが当たることは動物にとって好ましくないからである。
【００５１】
図１１及び図１２に、後ろ足受入れ部３を示す。後ろ足受入れ部３は、コルセット本体前躯部分１０やコルセット本体後躯部分２０などと同様に、例えばネオプレーン（登録商標）などのような少なくとも一面に起毛部が形成されたシート状の材料から形成されている。本例では、前記したコルセット本体前躯部分１０などとは異なり、起毛部が裏側になるようにしてある。
【００５２】
後ろ足受入れ部３はＨ字形の形状をなしている。すなわち、細長い帯状の左右部分３ａと、左右部分３ａを中間部で架橋して連結する連結部３ｂとを備えた形状となっている。前記した前足受入れ部２においては、周縁部に縁取りテープを縫い付けて縫製したが、本後ろ足受入れ部３においては、縁取りテープの縫製は一切行っていない。後ろ足受入れ部３には、柔らかくて伸縮性のあるストレッチ素材を使用することが好ましい。当該後ろ足受入れ部３は動物の内股に触れる可能性があるので伸縮性を確保するためである。
【００５３】
左右部分３ａの前端部には、鉤形の係合素子が多数形成されたマジックテープ（登録商標）などからなる係合部材３ｃがその鉤形の係合素子を裏面にして先端部に縫製により取り付けられている。係合部材３ｃは左右部分３ａの前端から突出した状態で取り付けられている。係合部材３ｃは後ろ足受入れ部３を形成するシート状の材料よりも薄い材料となっている。
【００５４】
左右部分３ａの後端部には、前端部と同様に、係合部材３ｃと同一の材料からなる係合部材３ｄがその鉤形の係合素子を裏面側にして先端部に縫製により取り付けられている。係合部材３ｄは左右部分３ａの前端から突出した状態で取り付けられている。
【００５５】
なお、後ろ足受入れ部３の強度や耐久性が不足する場合には、左右部分３ａの表面に補強用のテープ部材や布地を縫製により取り付けるようにしてもよい。
【００５６】
次に、図１３〜図２６に基づいて、本実施の形態に係る物用コルセットの使用方法（使用手順）について説明する。
【００５７】
図１３又は図１４に示すように、動物の前躯部分の背中側にコルセット本体前躯部分１０の背部覆い体１０ａを載せる。
【００５８】
図１５又は図１６に示すように、コルセット本体前躯部分１０の腹部覆い体１０ｂを動物の前躯部分の腹側に配置し、背部覆い体１０ａの端部に形成された係合部材１３を腹部覆い体１０ｂの表面に形成された起毛部に係合させて、背部覆い体１０ａに腹部覆い体１０ｂを合体させる。
【００５９】
図１７、図１８又は図１９に示すように、前足受入れ部２をコルセット本体前躯部分１０に取り付ける。すなわち、前足受入れ部２の分岐部２ｆの先端に取り付けられた係合部材２ｃを背部覆い体１０ａの表面の起毛部に係合させて取り付けるとともに、係合部材２ｄを背部覆い体１０ａに設けた係合部材１４ａに係合させて取り付ける。さらに、前足受入れ部２の基端部２ｅの先端に取り付けられた係合部材２ａを腹部覆い体１０ｂの表面の起毛部に係合させて取り付けるとともに、係合部材２ｂを腹部覆い体１０ｂに設けた係合部材１４ｂに係合させて取り付ける。
【００６０】
動物の胴体の大きさに応じて、係合部材２ｃ又は係合部材２ａの背部覆い体１０ａ又は腹部覆い体１０ｂの起毛部との係合位置を調整して、前足受入れ部２を動物にフィットさせる。係合部材２ｄ又は係合部材２ｂと係合部材１４ａ又は係合部材１４ｂとを係合させ、前足受入れ部２を背部覆い体１０及び腹部覆い体１０ｂにしっかりと取り付けられる。
【００６１】
図２０又は図２１に示すように、動物の後躯体部分の背中側に、コルセット本体後躯部分２０の背部覆い体２０ａを配置し、その係合部材２８ａを既に動物に装着されたコルセット本体前躯部分１０の背部覆い体１０ａの表面に形成された起毛部に係合させて取り付ける。動物の胴体の長さ寸法に応じて係合部材２８ａの係合位置を調整する。通常は、背部覆い体２０ａの後端部が動物の尾の付け根よりも若干前端側になるように調整する。
【００６２】
図２２又は図２３に示すように、動物の後躯体の腹側にコルセット本体後躯部分２０の腹部覆い体２０ｂをあてがい、係合部材２８ｂをコルセット本体前躯部分１０の腹部覆い体１０ｂの表面の起毛部に係合させ、延長部２６ａの先端の係合部材２３をコルセット本体後躯部分２０の背部覆い体２０ａの表面の起毛部に係合させて取り付ける。
【００６３】
係合部材２８ｂの係合位置を調整することにより腹部覆い体２０ｂのコルセット本体前駆部分１０に対する位置調整を行う。切欠部２６ｃが陰部と干渉しないように調節する。係合部材２３の係合位置を調整して、動物の胴体にフィットさせる。
【００６４】
図２４、図２５又は図２６に示すように、後ろ足受入れ部３をコルセット本体後躯部分２０に取り付ける。すなわち、図２５に示すように、後ろ足受入れ部３の左右部材３ａの一端に設けた係合部材３ｃをコルセット本体後躯部分２０の背部覆い体２０ａの表面の起毛部に係合させて取り付ける。さらに、図２６に示すように、左右部分３ａの他端に設けた係合部材３ｄをコルセット本体後躯部分２０の腹部覆い体２０ｂの表面の起毛部に係合させて取り付ける。この際、係合部材３ｄを腹部覆い体２０ｂに形成されたループ状のガイド部材２９を通してから腹部覆い体２０ｂに係合させる。これにより、係合部材３ｄの近傍の左右部分３ａが外れたりよじれたりすることが防止でき、安定した取付状態を得ることができる。
【００６５】
後ろ足受入れ部３は動物の敏感な陰部に配置されるものであるので、動物が雄である場合には、図２６に示すように、左右部分３ａを連結する連結部３ｂが陰のうと肛門の間に位置する寸法に設定されている。後ろ足受入れ部３を取り付ける際に、係合部材３ｃ及び係合部材３ｄの係合位置を調整して、連結部３ｂの位置の微調整を行う。
【００６６】
図２７に、後ろ足受入れ部３の他の例の使用例を示す。このものは、後ろ足受入れ部３の連結部３ｂが陰茎と陰のうとの間に位置するように寸法が設定されたものである。図２６に示すものに比べて連結部３ｂの位置調整が多少は難しくなるが、装着の安定性などの利点がある。
【００６７】
図２６及び図２７により動物の雄の場合について説明したが、動物の雌の場合には、後ろ足受入れ部３はその連結部が内股に位置するように寸法が設定される。具体的には、通常は雌の陰門の少し前方側の位置に連結部が位置するように寸法が設定されるが、陰門と肛門との間に連結部が位置するように寸法が設定されていてもよい。
【符号の説明】
【００６８】
１  コルセット本体
２  前足受入れ部
２ａ，２ｃ  係合部材
２ｄ，２ｅ  係合部材
３  後ろ足受入れ部
３ａ  左右部分
３ｂ  連結部
３ｃ，３ｄ  係合部材
１０  コルセット本体前躯体部分
１０ａ  背部覆い体
１０ｂ  腹部覆い体
１２  心材
１３  係合部材
１４ａ、１４ｂ  係合部材
１５  吊り部
２０  コルセット本体後躯部分
２０ａ  背部覆い体
２０ｂ  腹部覆い体
２３  係合部材
２４  係合部材
２５  手がけ部
２８ａ，２８ｂ  係合部材
【図１】
2010273922.tif 000003
【図２】
2010273922.tif 000004
【図３】
2010273922.tif 000005
【図４】
2010273922.tif 000006
【図５】
2010273922.tif 000007
【図６】
2010273922.tif 000008
【図７】
2010273922.tif 000009
【図８】
2010273922.tif 000010
【図９】
2010273922.tif 000011
【図１０】
2010273922.tif 000012
【図１１】
2010273922.tif 000013
【図１２】
2010273922.tif 000014
【図１３】
2010273922.tif 000015
【図１４】
2010273922.tif 000016
【図１５】
2010273922.tif 000017
【図１６】
2010273922.tif 000018
【図１７】
2010273922.tif 000019
【図１８】
2010273922.tif 000020
【図１９】
2010273922.tif 000021
【図２０】
2010273922.tif 000022
【図２１】
2010273922.tif 000023
【図２２】
2010273922.tif 000024
【図２３】
2010273922.tif 000025
【図２４】
2010273922.tif 000026
【図２５】
2010273922.tif 000027
【図２６】
2010273922.tif 000028
【図２７】
2010273922.tif 000029